(57)【要約】【課題】コーナー部が有効利用できるコーナーキャビネットを提供する。【解決手段】コーナーキャビネット１０は、第一壁面１２と第二壁面１４とのコーナーの高所に設置され、底面視Ｌ型である。コーナーキャビネット１０は、第一壁面１２から離れるように引き出される第一引出し２４と、第二壁面１４から離れるように引き出される第二引出し２６と、コーナー部に設置され、第二引出し２６が引き出された状態で、第二引出し２６があった位置に移動されるとともに、その位置で第二壁面１４から離れるように引き出されるコーナー引出し３０を有する。コーナー引出し３０は、収納された状態で、第一引出し２４よりも第二壁面１４に沿った方向に突出するとともに、少なくとも一部が第二引出し２６の前板４２で覆われる。【選択図】図３
0003188594.tif 000002
【実用新案登録請求の範囲】
【請求項１】
第一壁面と第二壁面とのコーナーの高所に設置される底面視Ｌ型のコーナーキャビネットであって、
前記第一壁面から離れるように引き出される第一引出しと、
前記第二壁面から離れるように引き出される第二引出しと、
コーナー部に設置され、前記第二引出しが引き出された状態で、前記第二引出しがあった位置に移動されるとともに、その位置で前記第二壁面から離れるように引き出されるコーナー引出しと、
を有するコーナーキャビネット。
【請求項２】
請求項１において、
前記コーナー引出しは、収納された状態で、前記第一引出しよりも前記第二壁面に沿った方向に突出するとともに、少なくとも一部が前記第二引出しの前板で覆われるコーナーキャビネット。
【請求項３】
請求項２において、
前記コーナー引出しは、前記第二壁面と対向する面に第一取っ手と第二取っ手とを備え、
前記第一取っ手は、前記コーナー引出しが収納された状態で、前記第一引出しより前記第二壁面に沿った方向に突出している部分に設けられ、
前記第二取っ手は、前記コーナー引出しが収納された状態で、記第一引出しで隠れた部分に設けられるコーナーキャビネット。
【請求項４】
請求項１から３のいずれかにおいて、
前記第二引出しが収納された状態で、前記第二引出しの下部の前面に設けられたストッパーをさらに有し、
前記第二引出しは、前記ストッパーより高く持ち上げられてから引き出されるコーナーキャビネット。
【考案の詳細な説明】
【技術分野】
【０００１】
本考案は、コーナー部が有効利用できるコーナーキャビネットに関する。
【背景技術】
【０００２】
室内の壁面のコーナーの高所に取り付けられるＬ字型のコーナーキャビネットが知られている。通常の引出しを用いたＬ字型コーナーキャビネットでは、どの方向にも引き出せないコーナー部が生じてしまい、このコーナー部が引出しの収納空間として使えない。
【考案の概要】
【考案が解決しようとする課題】
【０００３】
本考案は、このような事情に鑑みてなされたものであり、コーナー部が有効利用できるコーナーキャビネットを提供することを目的とする。
【課題を解決するための手段】
【０００４】
本考案のコーナーキャビネットは、第一壁面と第二壁面とのコーナーの高所に設置される底面視Ｌ型のコーナーキャビネットであって、第一壁面から離れるように引き出される第一引出しと、第二壁面から離れるように引き出される第二引出しと、コーナー部に設置され、第二引出しが引き出された状態で、第二引出しがあった位置に移動されるとともに、その位置で第二壁面から離れるように引き出されるコーナー引出しと、を有する。
【０００５】
本考案のコーナーキャビネットにおいて、コーナー引出しは、収納された状態で、第一引出しよりも第二壁面に沿った方向に突出するとともに、少なくとも一部が第二引出しの前板で覆われることが好ましい。本考案のコーナーキャビネットにおいて、コーナー引出しは、第二壁面と対向する面に第一取っ手と第二取っ手とを備え、第一取っ手は、コーナー引出しが収納された状態で、第一引出しより第二壁面に沿った方向に突出している部分に設けられ、第二取っ手は、コーナー引出しが収納された状態で、記第一引出しで隠れた部分に設けられていてもよい。本考案のコーナーキャビネットにおいて、第二引出しが収納された状態で、第二引出しの下部の前面に設けられたストッパーをさらに有し、第二引出しは、ストッパーより高く持ち上げられてから引き出されてもよい。
【考案の効果】
【０００６】
本考案によれば、コーナー部が有効利用できるコーナーキャビネットが得られる。
【図面の簡単な説明】
【０００７】
【図１】本考案の実施形態に係るコーナーキャビネットの斜視模式図である。
【図２】本考案の実施形態に係るコーナーキャビネットの正面模式図である。
【図３】本考案の実施形態に係るコーナーキャビネットの平面模式図である。
【図４】本考案の実施形態に係るコーナーキャビネットの動作を説明するための平面模式図である。
【図５】本考案の実施形態に係るコーナーキャビネットの動作を説明するための平面模式図である。
【図６】本考案の実施形態に係るコーナーキャビネットの動作を説明するための平面模式図である。
【図７】本考案の実施形態に係るコーナーキャビネットの動作を説明するための平面模式図である。
【考案を実施するための形態】
【０００８】
以下、本考案のコーナーキャビネットについて、図面を参照しながら実施形態に基づいて説明する。なお、図面は、コーナーキャビネット、コーナーキャビネットを構成する部材、およびコーナーキャビネットの周辺部材を模式的に表したものであり、これらの実物の寸法および寸法比は、図面上の寸法および寸法比と必ずしも一致していない。また、重複説明は適宜省略し、同一部材には同一符号を付与することがある。
【０００９】
図１は、本考案の実施形態に係るコーナーキャビネット１０を示す。コーナーキャビネット１０は、底面方向から見るとＬ字状、すなわち底面視Ｌ型で、第一壁面１２と第二壁面１４とのコーナーの高所に設置される。ここで「高所」とは、人間の通行や付近のドアの開閉等の邪魔にならないような高い場所を意味する。具体的には、コーナーキャビネット１０の底面の床からの高さが、１．９ｍ以上、好ましくは２ｍ以上、より好ましくは２．２ｍ以上となるようにコーナーキャビネット１０を設置する。
【００１０】
図２は、第二壁面１４を背面側としたときのコーナーキャビネット１０の正面模式図である。コーナーキャビネット１０は、天板１６と、底板１８と、側板２０，２２と、第一引出し２４と、第二引出し２６と、第三引出し２８と、コーナー引出し３０とを備える。本実施形態では、コーナーキャビネット１０が、第一引出し２４、第二引出し２６、第三引出し２８、およびコーナー引出し３０の４つの引出しを備えるが、本発明のコーナーキャビネットは、少なくとも第一引出し２４、第二引出し２６、およびコーナー引出し３０の３つを備えていればよい。
【００１１】
天井４０に接するようにコーナーキャビネット１０を設置する場合には、天板１６が不要である。しかしこの場合でも、強度確保等の観点より、コーナーキャビネット１０が天板１６を備えるのが好ましい。本実施形態では、薄い板から構成される側板２０，２２が天板１６と底板１８の側面を覆っており、美観を保っている。第一引出し２４は、第一壁面１２から離れるように引き出される。第二引出し２６と第三引出し２８は、第二壁面１４から離れるように引き出される。
【００１２】
コーナー引出し３０は、コーナーキャビネット１０のコーナー部に設置され、第二引出し２６が引き出された状態で、第二引出し２６があった位置に移動されるとともに、その位置で第二壁面１４から離れるように引き出される。コーナー引出し３０は、図１および図２に示すように、収納された状態で、第一引出し２４よりも第二壁面１４に沿った方向に突出するとともに、上部が第二引出し２６の前板４２で覆われる。このように、コーナー引出し３０の突出部の少なくとも一部を第二引出し２６の前板４２が覆っているので、コーナーキャビネット１０の美観が損なわれない。
【００１３】
コーナーキャビネット１０は、ストッパー４４を備える。ストッパー４４は、例えば、細長い直方体の棒材から構成される。本実施形態では、第一引出し２４、第二引出し２６、および第三引出し２８が収納された状態で、第一引出し２４、第二引出し２６、および第三引出し２８の下部の前面にストッパー４４が設けられている。このため、第一引出し２４、第二引出し２６、および第三引出し２８が抜けにくくなり、例えば、地震による第一引出し２４、第二引出し２６、または第三引出し２８の落下を抑えられる。なお、第一引出し２４、第二引出し２６、および第三引出し２８は、底面がストッパー４４より高くなるように持ち上げてから引き出す。また、第二引出し２６の下部の前面にのみストッパー４４を設けてもよい。
【００１４】
第一引出し２４は前板４６を、第三引出し２８は前板４８をそれぞれ備える。前板４２，４６，４８は、穴５２，５６，５８をそれぞれ備える。穴５２，５６，５８に手や操作棒（不図示）等を差し込んで、第一引出し２４、第二引出し２６、および第三引出し２８を持ち上げてから引き出すことができる。このため、高所にあるコーナーキャビネット１０の引出しの操作が容易にできる。また、操作棒を用いることによって、いったん持ち上げて引き出す動作が行いやすい。
【００１５】
図３は、天板１６を取り除いたコーナーキャビネット１０の平面模式図である。コーナー引出し３０は、取っ手として機能する第一の穴６０および第二の穴６２を備える。穴６０，６２は、第二壁面１４と対向する面に設けられている。また、穴６０は、コーナー引出し３０が収納された状態で、第一引出し２４より第二壁面１４に沿った方向に突出している部分に設けられている。穴６２は、コーナー引出し３０が収納された状態で、第一引出し２４で隠れた部分に設けられている。
【００１６】
図４から図７は、コーナーキャビネット１０の動作を説明するための平面模式図である。コーナーキャビネット１０では、図４に示すように、第一引出し２４、第二引出し２６、および第三引出し２８が矢印方向に押し引きできる。また、コーナー引出し３０は、第二引出し２６が引き出された後、図４に示すように、コーナーキャビネット１０の内部を矢印方向に移動できる。コーナー引出し３０は、以下のようにしてコーナーキャビネット１０の外側に引き出せる。
【００１７】
まず、図５に示すように、第二引出し２６を第二壁面１４から離れるように引き出す。つぎに、図６に示すように、第二引出し２６があった位置に、コーナー引出し３０を移動させる。このとき、第一の穴６０に手や操作棒などを引っ掛けて移動させることができる。最後に、図７に示すように、コーナー引出し３０を第二壁面１４から離れるように引き出す。このとき、第二の穴６２に手や操作棒などを引っ掛けて引き出すことができる。第二の穴６２がコーナー引出し３０の前板の中央付近にあるので、第二の穴６２に手や操作棒などを引っ掛けて引き出す方が、第一の穴６０を使って引き出すよりもバランスよく引き出せる。このため、コーナーキャビネット１０の外側にコーナー引出し３０が出たときに傾きにくい。
【符号の説明】
【００１８】
１０  コーナーキャビネット
１２  第一壁面
１４  第二壁面
１６  天板
１８  底板
２０，２２  側板
２４  第一引出し
２６  第二引出し
２８  第三引出し
３０  コーナー引出し
４０  天井
４２，４６，４８  前板
４４  ストッパー
５２，５６，５８，６０，６２  穴
【図１】
0003188594.tif 000003
【図２】
0003188594.tif 000004
【図３】
0003188594.tif 000005
【図４】
0003188594.tif 000006
【図５】
0003188594.tif 000007
【図６】
0003188594.tif 000008
【図７】
0003188594.tif 000009